(57)【要約】【課題】ユーザのソーシャルネットワークサイト上の書き込みから自動的にスケジュールの登録を行う。【解決手段】インターネット上のソーシャルネットワークサイトに接続し、書き込みを行い、ユーザの書き込み内容を定期的に取得する。次に、取得した書き込みから欲求を表す文字列を含むテキスト情報を抽出し、欲求内容とそれに要する所要時間とを関連付けて記憶したデータベースに基づいて、欲求内容とそれに要する所要時間とに基づいて、スケジュールを登録する。【選択図】図８
2013186629.tif 000002
【特許請求の範囲】
【請求項１】
インターネット上のソーシャルネットワークサイトに接続し、書き込みを行う書き込み手段と、
ユーザの書き込み内容を定期的に取得する取得手段と、
該取得した書き込みから欲求を表す文字列を含むテキスト情報を抽出する抽出手段と、
欲求内容とそれに要する所要時間とを関連付けて記憶するデータベースと、
該欲求内容とそれに要する所要時間とに基づいて、スケジュールを登録するスケジュール登録手段と、
を備えたことを特徴とするスケジュール登録装置。
【請求項２】
スケジュールを登録する日時を設定できる日時設定手段を備えたことを特徴とする請求項１に記載のスケジュール登録装置。
【請求項３】
前記スケジュール登録手段は、スケジュールが登録されていない日付のうち、直近の日付にスケジュールを登録することを特徴とする請求項１または請求項２に記載のスケジュール登録装置。
【請求項４】
前記スケジュール登録手段は、スケジュールが登録されている日付であっても、前記欲求内容に要する所要時間以上の空き時間がある場合には、その時間帯にスケジュールを登録することを特徴とする請求項１または請求項２に記載のスケジュール登録装置。
【請求項５】
過去のスケジュールを格納する記憶手段と、
前記同一の欲求内容が登録されている日時を検索する検索手段と、
を備え、
該同一の欲求内容が登録されている日時がある場合に、前記スケジュール登録手段が、前記登録されている日時と同じ日時にスケジュールを登録することを特徴とする請求項１または請求項２に記載のスケジュール登録装置。
【請求項６】
前記請求項１から請求項５のスケジュール登録装置を備えた携帯端末。
【請求項７】
インターネット上のソーシャルネットワークサイトに接続する機能と、スケジュール管理用アプリケーションを備えたユーザ端末と、スケジュールを前記ユーザ端末のスケジュール管理用アプリケーションに登録するスケジュール作成装置とからなるスケジュール登録システムであって、
前記ユーザ端末が、前記ソーシャルネットワークサイト上のアプリケーションに書き込みを行う書き込み手段と、
前記スケジュール作成装置から受信したスケジュールをスケジュール管理用アプリケーションに登録するスケジュール登録手段と、
を備え、
前記スケジュール作成装置が、
前記書き込み手段によるユーザの書き込み内容を定期的に取得する取得手段と、
該取得した書き込みから欲求を表す文字列を含むテキスト情報を抽出する抽出手段と、
欲求内容とそれに要する所要時間とを関連付けて記憶するデータベースと、
該欲求内容とそれに要する所要時間とに基づいて、スケジュールを作成するスケジュール作成手段と、
該作成したスケジュール情報を前記ユーザ端末に送信する送信手段と、
を備えたことを特徴とするスケジュール登録システム。
【請求項８】
前記ユーザ端末が、スケジュールを登録する日時を設定できる日時設定手段を備えたことを特徴とする請求項７に記載のスケジュール登録システム。
【請求項９】
前記スケジュール作成装置が、過去に作成したスケジュールを記憶するスケジュール記憶手段を備え、
前記スケジュール作成手段は、スケジュールが登録されていない日付のうち、直近の日付にスケジュールを登録することを特徴とする請求項７または請求項８に記載のスケジュール登録システム。
【請求項１０】
前記スケジュール作成装置が、過去に作成したスケジュールを記憶するスケジュール記憶手段を備え、
前記スケジュール生成手段は、スケジュールが登録されている日付であっても、前記欲求内容に要する所要時間以上の空き時間がある場合には、その時間帯にスケジュールを登録することを特徴とする請求項７または請求項８に記載のスケジュール登録システム。
【請求項１１】
前記スケジュール作成装置が、
過去に作成したスケジュールを記憶するスケジュール記憶手段と、
前記同一の欲求内容が登録されている日時を検索する検索手段と、
を備え、
該同一の欲求内容が登録されている日時がある場合に、前記スケジュール作成手段が、前記登録されている日時と同じ日時にスケジュールを登録することを特徴とする請求項７または請求項８に記載のスケジュール登録システム。
【請求項１２】
前記ユーザ端末が携帯端末であることを特徴とする請求項７から請求項１１に記載のスケジュール登録システム。
【請求項１３】
書き込み手段が、インターネット上のソーシャルネットワークサイトに接続し、書き込みを行う第１のステップと、
取得手段が、ユーザの書き込み内容を定期的に取得する第２のステップと、
抽出手段が、該取得した書き込みから欲求を表す文字列を含むテキスト情報を抽出する第３のステップと、
欲求内容とそれに要する所要時間とを関連付けて記憶し、スケジュール登録手段が、該欲求内容とそれに要する所要時間とに基づいて、スケジュールを登録する第４のステップと、
を備えたことを特徴とするスケジュール登録方法。
【請求項１４】
書き込み手段が、インターネット上のソーシャルネットワークサイトに接続し、書き込みを行う第１のステップと、
取得手段が、ユーザの書き込み内容を定期的に取得する第２のステップと、
抽出手段が、該取得した書き込みから欲求を表す文字列を含むテキスト情報を抽出する第３のステップと、
欲求内容とそれに要する所要時間とを関連付けて記憶し、スケジュール登録手段が、該欲求内容とそれに要する所要時間とに基づいて、スケジュールを登録する第４のステップと、
をコンピュータに実行させるためのプログラム。
【発明の詳細な説明】
【技術分野】
【０００１】
本発明は、ユーザのソーシャルネットワークサイト上の書き込みから自動的にスケジュールの登録を行うスケジュール登録装置、スケジュール登録システム、スケジュール登録方法およびプログラムに関する。
【背景技術】
【０００２】
従来、スケジュールの登録について、例えば、複数人で何かを行うような場合には、複数人のスケジュールを調整するために、システムが事前に各人のスケジュールを取得し、共通する空き時間を判定しておき、あるユーザが携帯端末等からシステムにアクセスすると、複数人で共通する空き時間を取得できる技術が知られている（例えば、特許文献１参照。）。
【０００３】
一方で、近年、インターネットの普及に伴って、ソーシャルメディアに関する興味が高まっており、多くのユーザがこのソーシャルネットワークサイト上のコンテンツに様々な内容の書き込みを行い、互いに情報を共有することが行われている。
【０００４】
こうしたツールへの書き込みは、そのときの感情や思いをそのまま書き込む場合が多い。例えば、自分のやりたいことや欲求をつぶやいたりする場合があるが、具体的にいつやるか等決めないまま、放置されることが多く、ユーザ本人もやることを忘れる場合がある。
【先行技術文献】
【特許文献】
【０００５】
【特許文献１】特開平１０−１１１８９０号公報
【発明の概要】
【発明が解決しようとする課題】
【０００６】
上記のような問題は、自分のやりたいことや欲求をつぶやいたりする場合に、スケジュールを登録できれば、解消できる。しかしながら、特許文献１に記載の技術では、ユーザのやりたい内容を具体的な日時が決まったのちに、能動的にスケジュールを登録しなければならず、上記の問題を解決できないという課題があった。
【０００７】
そこで、本発明は、上述の課題に鑑みてなされたものであり、ユーザのソーシャルネットワークサイト上の書き込みから自動的にスケジュールの登録を行うスケジュール登録装置、スケジュール登録システム、スケジュール登録方法およびプログラムを提供することを目的とする。
【課題を解決するための手段】
【０００８】
本発明は、上記の課題を解決するために、以下の事項を提案している。なお、理解を容易にするために、本発明の実施形態に対応する符号を付して説明するが、これに限定されるものではない。
【０００９】
（１）本発明は、インターネット上のソーシャルネットワークサイトに接続し、書き込みを行う書き込み手段（例えば、図１の書込み部１００に相当）と、ユーザの書き込み内容を定期的に取得する取得手段（例えば、図１の取得部２００に相当）と、該取得した書き込みから欲求を表す文字列を含むテキスト情報を抽出する抽出手段（例えば、図１の抽出部３００に相当）と、欲求内容とそれに要する所要時間とを関連付けて記憶するデータベース（例えば、図１のデータベース４００に相当）と、該欲求内容とそれに要する所要時間とに基づいて、スケジュールを登録するスケジュール登録手段（例えば、図１のスケジュール登録部５００に相当）と、を備えたことを特徴とするスケジュール登録装置を提案している。
【００１０】
この発明によれば、書き込み手段は、インターネット上のソーシャルネットワークサイトに接続し、書き込みを行う。取得手段は、ユーザの書き込み内容を定期的に取得する。抽出手段は、取得した書き込みから欲求を表す文字列を含むテキスト情報を抽出する。データベースは、欲求内容とそれに要する所要時間とを関連付けて記憶する。スケジュール登録手段は、欲求内容とそれに要する所要時間とに基づいて、スケジュールを登録する。したがって、ユーザのソーシャルネットワークサイト上の書き込みから自動的にスケジュールの登録を行うことができる。
【００１１】
（２）本発明は、（１）のスケジュール登録装置について、スケジュールを登録する日時を設定できる日時設定手段を備えたことを特徴とするスケジュール登録装置を提案している。
【００１２】
この発明によれば、日時設定手段は、スケジュールを登録する日時を設定する。したがって、ユーザの設定により、平日のみ、休日のみ、特定の曜日等日時を自由に設定できる。
【００１３】
（３）本発明は、（１）または（２）のスケジュール登録装置について、前記スケジュール登録手段は、スケジュールが登録されていない日付のうち、直近の日付にスケジュールを登録することを特徴とするスケジュール登録装置を提案している。
【００１４】
この発明によれば、スケジュール登録手段は、スケジュールが登録されていない日付のうち、直近の日付にスケジュールを登録する。したがって、ユーザの思いがあるうちに、スケジュールを登録でき、ユーザの欲求を満足させることができる。
【００１５】
（４）本発明は、（１）または（２）のスケジュール登録装置について、前記スケジュール登録手段は、スケジュールが登録されている日付であっても、前記欲求内容に要する所要時間以上の空き時間がある場合には、その時間帯にスケジュールを登録することを特徴とするスケジュール登録装置を提案している。
【００１６】
この発明によれば、スケジュール登録手段は、スケジュールが登録されている日付であっても、欲求内容に要する所要時間以上の空き時間がある場合には、その時間帯にスケジュールを登録する。したがって、ユーザの思いがあるうちに、スケジュールを登録でき、さらに、ユーザの欲求を満足させることができる。
【００１７】
（５）本発明は、（１）または（２）のスケジュール登録装置について、過去のスケジュールを格納する記憶手段と、前記同一の欲求内容が登録されている日時を検索する検索手段と、を備え、該同一の欲求内容が登録されている日時がある場合に、前記スケジュール登録手段が、前記登録されている日時と同じ日時にスケジュールを登録することを特徴とするスケジュール登録装置を提案している。
【００１８】
この発明によれば、同一の欲求内容が登録されている日時がある場合に、スケジュール登録手段が、登録されている日時と同じ日時にスケジュールを登録する。したがって、例えば、昨年にスケジュールの登録がある場合には、同じ日時に自動的にスケジュールを登録することができる。
【００１９】
（６）本発明は、前記請求項１から請求項５のスケジュール登録装置を備えた携帯端末を提案している。
【００２０】
この発明によれば、携帯端末がスケジュール登録装置を備えているため、携帯端末だけで、自動的にスケジュールを登録することができる。
【００２１】
（７）本発明は、インターネット上のソーシャルネットワークサイトに接続する機能と、スケジュール管理用アプリケーションを備えたユーザ端末（例えば、図９のユーザ端末１０００に相当）と、スケジュールを前記ユーザ端末のスケジュール管理用アプリケーションに登録するスケジュール作成装置（例えば、図９のスケジュール作成装置２０００に相当）とからなるスケジュール登録システムであって、前記ユーザ端末が、前記ソーシャルネットワークサイト上のアプリケーションに書き込みを行う書き込み手段（例えば、図１０の書込み部１１００に相当）と、前記スケジュール作成装置から受信したスケジュールをスケジュール管理用アプリケーションに登録するスケジュール登録手段（例えば、図１のスケジュール登録部１２００に相当）と、を備え、前記スケジュール作成装置が、前記書き込み手段によるユーザの書き込み内容を定期的に取得する取得手段（例えば、図１１の取得部２１００に相当）と、該取得した書き込みから欲求を表す文字列を含むテキスト情報を抽出する抽出手段（例えば、図１１の抽出部２２００に相当）と、欲求内容とそれに要する所要時間とを関連付けて記憶するデータベース（例えば、図１１のデータベース２３００に相当）と、該欲求内容とそれに要する所要時間とに基づいて、スケジュールを作成するスケジュール作成手段（例えば、図１１のスケジュール生成部２４００に相当）と、該作成したスケジュール情報を前記ユーザ端末に送信する送信手段（例えば、図１１の送信部２５００に相当）と、を備えたことを特徴とするスケジュール登録システムを提案している。
【００２２】
この発明によれば、ユーザ端末の書き込み手段は、ソーシャルネットワークサイト上のアプリケーションに書き込みを行う。スケジュール登録手段は、スケジュール作成装置から受信したスケジュールをスケジュール管理用アプリケーションに登録する。スケジュール作成装置の取得手段は、書き込み手段によるユーザの書き込み内容を定期的に取得する。抽出手段は、取得した書き込みから欲求を表す文字列を含むテキスト情報を抽出する。データベースは、欲求内容とそれに要する所要時間とを関連付けて記憶する。スケジュール作成手段は、欲求内容とそれに要する所要時間とに基づいて、スケジュールを作成し、送信手段が、作成したスケジュール情報をユーザ端末に送信する。したがって、ユーザのソーシャルネットワークサイト上の書き込みから自動的にスケジュールの登録を行うことができる。
【００２３】
（８）本発明は、（７）のスケジュール登録システムについて、前記ユーザ端末が、スケジュールを登録する日時を設定できる日時設定手段を備えたことを特徴とするスケジュール登録システムを提案している。
【００２４】
この発明によれば、日時設定手段は、スケジュールを登録する日時を設定する。したがって、ユーザの設定により、平日のみ、休日のみ、特定の曜日等日時を自由に設定できる。
【００２５】
（９）本発明は、（７）または（８）のスケジュール登録システムについて、前記スケジュール作成装置が、過去に作成したスケジュールを記憶するスケジュール記憶手段を備え、前記スケジュール作成手段は、スケジュールが登録されていない日付のうち、直近の日付にスケジュールを登録することを特徴とするスケジュール登録システムを提案している。
【００２６】
この発明によれば、スケジュール登録手段は、スケジュールが登録されていない日付のうち、直近の日付にスケジュールを登録する。したがって、ユーザの思いがあるうちに、スケジュールを登録でき、ユーザの欲求を満足させることができる。
【００２７】
（１０）本発明は、（７）または（８）のスケジュール登録システムについて、前記スケジュール作成装置が、過去に作成したスケジュールを記憶するスケジュール記憶手段を備え、前記スケジュール生成手段は、スケジュールが登録されている日付であっても、前記欲求内容に要する所要時間以上の空き時間がある場合には、その時間帯にスケジュールを登録することを特徴とするスケジュール登録システムを提案している。
【００２８】
この発明によれば、スケジュール登録手段は、スケジュールが登録されている日付であっても、欲求内容に要する所要時間以上の空き時間がある場合には、その時間帯にスケジュールを登録する。したがって、ユーザの思いがあるうちに、スケジュールを登録でき、さらに、ユーザの欲求を満足させることができる。
【００２９】
（１１）本発明は、（７）または（８）のスケジュール登録システムについて、前記スケジュール作成装置が、過去に作成したスケジュールを記憶するスケジュール記憶手段と、前記同一の欲求内容が登録されている日時を検索する検索手段と、を備え、該同一の欲求内容が登録されている日時がある場合に、前記スケジュール作成手段が、前記登録されている日時と同じ日時にスケジュールを登録することを特徴とするスケジュール登録システムを提案している。
【００３０】
この発明によれば、同一の欲求内容が登録されている日時がある場合に、スケジュール登録手段が、登録されている日時と同じ日時にスケジュールを登録する。したがって、例えば、昨年にスケジュールの登録がある場合には、同じ日時に自動的にスケジュールを登録することができる。
【００３１】
（１２）本発明は、（７）または（１１）のスケジュール登録システムについて、前記ユーザ端末が携帯端末であることを特徴とするスケジュール登録システムを提案している。  
【００３２】
この発明によれば、ユーザ端末が携帯端末である。したがって、どこにいても、自動的に、スケジュールを登録することができる。
【００３３】
（１３）本発明は、書き込み手段が、インターネット上のソーシャルネットワークサイトに接続し、書き込みを行う第１のステップ（例えば、図８のステップＳ１０１に相当）と、取得手段が、ユーザの書き込み内容を定期的に取得する第２のステップ（例えば、図８のステップＳ１０２に相当）と、抽出手段が、該取得した書き込みから欲求を表す文字列を含むテキスト情報を抽出する第３のステップ（例えば、図８のステップＳ１０３に相当）と、欲求内容とそれに要する所要時間とを関連付けて記憶し、スケジュール登録手段が、該欲求内容とそれに要する所要時間とに基づいて、スケジュールを登録する第４のステップ（例えば、図８のステップＳ１０４に相当）と、を備えたことを特徴とするスケジュール登録方法を提案している。
【００３４】
この発明によれば、書き込み手段が、インターネット上のソーシャルネットワークサイトに接続し、書き込みを行い、取得手段が、ユーザの書き込み内容を定期的に取得する。次に、抽出手段が、取得した書き込みから欲求を表す文字列を含むテキスト情報を抽出し、欲求内容とそれに要する所要時間とを関連付けて記憶したデータベースに基づいて、スケジュール登録手段が、欲求内容とそれに要する所要時間とに基づいて、スケジュールを登録する。したがって、ユーザのソーシャルネットワークサイト上の書き込みから自動的にスケジュールの登録を行うことができる。
【００３５】
（１４）本発明は、書き込み手段が、インターネット上のソーシャルネットワークサイトに接続し、書き込みを行う第１のステップ（例えば、図８のステップＳ１０１に相当）と、取得手段が、ユーザの書き込み内容を定期的に取得する第２のステップ（例えば、図８のステップＳ１０２に相当）と、抽出手段が、該取得した書き込みから欲求を表す文字列を含むテキスト情報を抽出する第３のステップ（例えば、図８のステップＳ１０３に相当）と、欲求内容とそれに要する所要時間とを関連付けて記憶し、スケジュール登録手段が、該欲求内容とそれに要する所要時間とに基づいて、スケジュールを登録する第４のステップ（例えば、図８のステップＳ１０４に相当）と、をコンピュータに実行させるためのプログラムを提案している。
【００３６】
この発明によれば、書き込み手段が、インターネット上のソーシャルネットワークサイトに接続し、書き込みを行い、取得手段が、ユーザの書き込み内容を定期的に取得する。次に、抽出手段が、取得した書き込みから欲求を表す文字列を含むテキスト情報を抽出し、欲求内容とそれに要する所要時間とを関連付けて記憶したデータベースに基づいて、スケジュール登録手段が、欲求内容とそれに要する所要時間とに基づいて、スケジュールを登録する。したがって、ユーザのソーシャルネットワークサイト上の書き込みから自動的にスケジュールの登録を行うことができる。
【発明の効果】
【００３７】
本発明によれば、ユーザのソーシャルネットワークサイト上の書き込みから自動的にスケジュールの登録を行うことができるという効果がある。また、ユーザの思いがあるうちに、スケジュールを登録でき、ユーザの欲求を満足させることができるという効果がある。
【図面の簡単な説明】
【００３８】
【図１】本発明の第１の実施形態に係るスケジュール登録装置の構成を示す図である。
【図２】ソーシャルネットワークサイト上の書き込みを例示した図である。
【図３】登録前のスケジュールを例示した図である。
【図４】スケジュールの登録例を示す図である。
【図５】スケジュールの登録例を示す図である。
【図６】スケジュールの登録例を示す図である。
【図７】スケジュールの登録例を示す図である。
【図８】本発明の第１の実施形態に係るスケジュール登録装置の処理を示す図である。
【図９】本発明の第２の実施形態に係るスケジュール登録システムの構成を示す図である。
【図１０】本発明の第２の実施形態に係るユーザ端末の構成を示す図である。
【図１１】本発明の第２の実施形態に係るスケジュール作成装置の構成を示す図である。
【図１２】本発明の第２の実施形態に係るスケジュール登録システムの処理を示す図である。
【発明を実施するための形態】
【００３９】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００４０】
＜第１の実施形態＞
図１から図８を用いて、本発明の第１の実施形態について説明する。
【００４１】
＜スケジュール登録装置の構成＞
図１を用いて、本実施形態に係るスケジュール登録装置の構成について説明する。
本実施形態に係るスケジュール登録装置は、図１に示すように、書込み部１００と、取得部２００と、抽出部３００と、データベース４００と、スケジュール登録部５００とから構成されている。
【００４２】
書込み部１００は、インターネット上のソーシャルネットワークサイトに接続し、書き込みを行う。取得部２００は、ユーザの書き込み内容を定期的に取得する。抽出部３００は、取得した書き込みから欲求を表す文字列を含むテキスト情報を抽出する。具体的には、書込まれているテキスト情報から「〜したい」や「〜に行きたい」等の「〜」部分（欲求内容）を抽出する。図２の例では、本サービスを利用するユーザ「ａａａａ」さんの書き込みから「ＸＸの映画が見たい」というテキスト情報を検出し、「ＸＸの映画」という部分を抽出する。
【００４３】
データベース４００は、欲求内容とそれに要する所要時間とを関連付けて記憶する。スケジュール登録部５００は、欲求内容とそれに要する所要時間とに基づいて、スケジュールを登録する。
【００４４】
図３から図７を用いて、スケジュール登録部５００におけるスケジュールの登録について、具体的に、説明する。ここで、図３は、スケジュール登録前のスケジュールを例示したものである。また、ここでは、「ＸＸの映画」鑑賞をスケジュールに自動的に登録する例を示す。なお、スケジュールを登録する際に、データベース４００から、「ＸＸの映画」の所要時間を検出するが、ここでは、「ＸＸの映画」の所要時間を２時間とする。また、図２に示す書き込みは、１２／１１になされたものとする。
【００４５】
図４は、第１の例として、「ＸＸの映画」鑑賞のスケジュールを登録する場合を示している。この例では、図３に示すスケジュールをベースに、既存のスケジュールが登録されていない日付のうち、最も直近の日付を選択し、スケジュールの登録を行う。
【００４６】
図３および図４から、この場合は、既存のスケジュールが登録されていない日付のうち、最も直近の日付として、１２／１３（火曜日）を選択し、ここに、「ＸＸの映画」の所要時間を考慮して、スケジュールを登録する。
【００４７】
図５は、第２の例として、「ＸＸの映画」鑑賞のスケジュールを登録する場合を示している。この例では、ユーザが、休日のみに、自動的に、スケジュールを登録することを希望している場合である。この場合には、図３に示すスケジュールをベースに、最も直近の休日から、そのスケジュールを確認し、スケジュールの空き時間がある日付を特定して、その空き時間に、スケジュールの登録を行う。
【００４８】
図３および図５から、この場合は、スケジュールの空き時間がある日付のうち、最も直近の休日の日付として、１２／１７（土曜日）を選択し、ここに、「ＸＸの映画」の所要時間を考慮して、スケジュールを登録する。
【００４９】
図６は、第３の例として、「ＸＸの映画」鑑賞のスケジュールを登録する場合を示している。この例では、既存スケジュールが登録されている日付でも、欲求内容の所要時間を入れられるすき間時間がある日付の中から直近の日時を選択しスケジュールを登録する。
【００５０】
図３および図６から、この場合は、既存スケジュールが登録されている日付でも、欲求内容の所要時間を入れられるすき間時間がある日付の中から直近の日時として、１２／１２（月曜日）を選択し、ここに、「ＸＸの映画」の所要時間を考慮して、スケジュールを「１９：００から２１：００」に登録する。
【００５１】
図７は、第４の例として、「ＸＸの映画」鑑賞のスケジュールを登録する場合を示している。この例では、前年のスケジュールにおいて、欲求内容が登録されていたか確認し、登録されている場合、前年と同じ条件の日時に登録する。なお、ここでは、「前年と同じ条件の日時」としたが、時間帯については、これに限定されるものではない。また、過去のスケジュールデータから同一のイベントが複数の条件の日時に設定されている場合には、例えば、最も、確率の高い日時に設定してもよい。また、既存のスケジュールに登録がなされていない場合には、上記第１および第３の例で、スケジュールの登録を行う。
【００５２】
図３および図７から、この場合は、欲求内容が登録されていたか確認し、登録されている場合、前年と同じ条件の日時として、１２／１５（木曜日）の「１７：３０〜１９；３０」を選択し、ここに、「ＸＸの映画」のスケジュールを登録する。
【００５３】
＜スケジュール登録装置の処理＞
図８を用いて、本実施形態に係るスケジュール登録装置の処理について説明する。
【００５４】
まず、書込み部１００が、インターネット上のソーシャルネットワークサイトに接続し、書き込みを行う（ステップＳ１０１）。取得部２００は、ユーザの書き込み内容を定期的に取得し（ステップＳ１０２）、抽出部３００は、取得した書き込みから欲求を表す文字列を含むテキスト情報を抽出する（ステップＳ１０３）。
【００５５】
そして、スケジュール登録部５００は、欲求内容とそれに要する所要時間とを関連付けて記憶したデータベース４００を用いて、欲求内容とそれに要する所要時間とに基づいて、スケジュールを登録する（ステップＳ１０４）。
【００５６】
以上、説明したように、本実施形態によれば、ユーザのソーシャルネットワークサイト上の書き込みから自動的にスケジュールの登録を行うことができる。また、携帯端末がスケジュール登録装置を備えれば、携帯端末だけで、自動的にスケジュールを登録することができる。
【００５７】
＜第２の実施形態＞
図２から図８および図９から図１２を用いて、本発明の第２の実施形態について説明する。
【００５８】
＜スケジュール登録システムの構成＞
図９を用いて、本実施形態に係るスケジュール登録システムの構成について説明する。
本実施形態に係るスケジュール登録装置は、図９に示すように、ユーザ端末１０００と、スケジュール作成装置２０００と、インターネットとから構成されている。以下に、各構成要素の構成を詳細に示す。
【００５９】
＜ユーザ端末の構成＞
本実施形態に係るユーザ端末１０００は、図１０に示すように、書込み部１１００と、スケジュール登録部１２００とから構成されている。
【００６０】
書込み部１１００は、インターネット上のソーシャルネットワークサイトに接続し、書き込みを行う。スケジュール登録部１２００は、スケジュール作成装置２０００から受信した新たなスケジュールを専用のアプリケーションを起動して、登録する。
【００６１】
＜スケジュール作成装置の構成＞
本実施形態に係るスケジュール作成装置２０００は、図１１に示すように、取得部２１００と、抽出部２２００と、データベース２３００と、スケジュール生成部２４００と、送信部２５００とから構成されている。
【００６２】
取得部２１００は、ユーザの書き込み内容を定期的に取得する。抽出部２２００は、取得した書き込みから欲求を表す文字列を含むテキスト情報を抽出する。具体的には、書込まれているテキスト情報から「〜したい」や「〜に行きたい」等の「〜」部分（欲求内容）を抽出する。図２の例では、本サービスを利用するユーザ「ａａａａ」さんの書き込みから「ＸＸの映画が見たい」というテキスト情報を検出し、「ＸＸの映画」という部分を抽出する。
【００６３】
データベース２３００は、欲求内容とそれに要する所要時間とを関連付けて記憶する。スケジュール生成部２４００は、欲求内容とそれに要する所要時間とに基づいて、スケジュールを作成する。
【００６４】
図３から図７を用いて、スケジュール生成部２４００におけるスケジュールの作成について、具体的に、説明する。ここで、図３は、スケジュール作成前のスケジュールを例示したものである。また、ここでは、「ＸＸの映画」鑑賞をスケジュールに自動的に作成する例を示す。なお、スケジュールを作成する際に、データベース２３００から、「ＸＸの映画」の所要時間を検出するが、ここでは、「ＸＸの映画」の所要時間を２時間とする。また、図２に示す書き込みは、１２／１１になされたものとする。
【００６５】
図４は、第１の例として、「ＸＸの映画」鑑賞のスケジュールを作成する場合を示している。この例では、図３に示すスケジュールをベースに、既存のスケジュールが登録されていない日付のうち、最も直近の日付を選択し、スケジュールの作成を行う。
【００６６】
図３および図４から、この場合は、既存のスケジュールが登録されていない日付のうち、最も直近の日付として、１２／１３（火曜日）を選択し、ここに、「ＸＸの映画」の所要時間を考慮して、スケジュールを作成する。
【００６７】
図５は、第２の例として、「ＸＸの映画」鑑賞のスケジュールを作成する場合を示している。この例では、ユーザが、休日のみに、自動的に、スケジュールを登録することを希望している場合である。この場合には、図３に示すスケジュールをベースに、最も直近の休日から、そのスケジュールを確認し、スケジュールの空き時間がある日付を特定して、その空き時間に、スケジュールの作成を行う。
【００６８】
図３および図５から、この場合は、スケジュールの空き時間がある日付のうち、最も直近の休日の日付として、１２／１７（土曜日）を選択し、ここに、「ＸＸの映画」の所要時間を考慮して、スケジュールを登録する。
【００６９】
図６は、第３の例として、「ＸＸの映画」鑑賞のスケジュールを作成する場合を示している。この例では、既存スケジュールが登録されている日付でも、欲求内容の所要時間を入れられるすき間時間がある日付の中から直近の日時を選択しスケジュールを作成する。
【００７０】
図３および図６から、この場合は、既存スケジュールが登録されている日付でも、欲求内容の所要時間を入れられるすき間時間がある日付の中から直近の日時として、１２／１２（月曜日）を選択し、ここに、「ＸＸの映画」の所要時間を考慮して、スケジュールを「１９：００から２１：００」に作成する。
【００７１】
図７は、第４の例として、「ＸＸの映画」鑑賞のスケジュールを作成する場合を示している。この例では、前年のスケジュールにおいて、欲求内容が登録されていたか確認し、登録されている場合、前年と同じ条件の日時に作成する。なお、ここでは、「前年と同じ条件の日時」としたが、時間帯については、これに限定されるものではない。また、過去のスケジュールデータから同一のイベントが複数の条件の日時に設定されている場合には、例えば、最も、確率の高い日時に設定してもよい。また、既存のスケジュールに登録がなされていない場合には、上記第１および第３の例で、スケジュールの作成を行う。
【００７２】
図３および図７から、この場合は、欲求内容が登録されていたか確認し、登録されている場合、前年と同じ条件の日時として、１２／１５（木曜日）の「１７：３０〜１９；３０」を選択し、ここに、「ＸＸの映画」のスケジュールを作成する。
【００７３】
＜スケジュール登録システムの処理＞
図１２を用いて、本実施形態に係るスケジュール登録システムの処理について説明する。
【００７４】
まず、ユーザ端末１０００の書込み部１１００が、インターネット上のソーシャルネットワークサイトに接続し、書き込みを行う（ステップＳ２０１）。スケジュール作成装置２０００の取得部２１００は、ユーザの書き込み内容を定期的に取得し（ステップＳ２０２）、スケジュール作成装置２０００の抽出部２２００は、取得した書き込みから欲求を表す文字列を含むテキスト情報を抽出する（ステップＳ２０３）。
【００７５】
そして、スケジュール作成装置２０００のスケジュール生成部２４００は、欲求内容とそれに要する所要時間とを関連付けて記憶したデータベース２３００を用いて、欲求内容とそれに要する所要時間とに基づいて、スケジュールを作成し（ステップＳ２０４）、スケジュール作成装置２０００の送信部２５００が、作成したスケジュールをユーザ端末１０００に送信する（ステップＳ２０５）。ユーザ端末１０００では、スケジュール登録部１２００が、スケジュール作成装置２０００から受信した新たなスケジュールを専用のアプリケーションを起動して、登録する（ステップＳ２０６）。
【００７６】
以上、説明したように、本実施形態によれば、ユーザのソーシャルネットワークサイト上の書き込みから自動的にスケジュールの登録を行うことができる。また、スケジュール作成装置を備え、ユーザ端末では、ソーシャルネットワークサイト上の書き込みと、スケジュール作成装置から受信した新たなスケジュールの登録だけを行えばよいので、ユーザ端末における処理負荷を軽減することができる。
【００７７】
なお、スケジュール登録装置、ユーザ端末、スケジュール作成装置の処理をコンピュータ読み取り可能な記録媒体に記録し、この記録媒体に記録されたプログラムをスケジュール登録装置、ユーザ端末、スケジュール作成装置に読み込ませ、実行することによって本発明のスケジュール登録装置およびスケジュール登録システムを実現することができる。ここでいうコンピュータシステムとは、ＯＳや周辺装置等のハードウェアを含む。
【００７８】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されても良い。ここで、プログラムを伝送する「伝送媒体」は、インターネット等のネットワーク（通信網）や電話回線等の通信回線（通信線）のように情報を伝送する機能を有する媒体のことをいう。
【００７９】
また、上記プログラムは、前述した機能の一部を実現するためのものであっても良い。さらに、前述した機能をコンピュータシステムにすでに記録されているプログラムとの組合せで実現できるもの、いわゆる差分ファイル（差分プログラム）であっても良い。
【００８０】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００８１】
１００；書込み部
２００；取得部
３００；抽出部
４００；データベース
５００；スケジュール登録部
１０００；ユーザ端末
１１００；書込み部
１２００；スケジュール登録部
２０００；スケジュール作成装置
２１００；取得部
２２００；抽出部
２３００；データベース
２４００；スケジュール生成部
２５００；送信部
【図１】
2013186629.tif 000003
【図２】
2013186629.tif 000004
【図３】
2013186629.tif 000005
【図４】
2013186629.tif 000006
【図５】
2013186629.tif 000007
【図６】
2013186629.tif 000008
【図７】
2013186629.tif 000009
【図８】
2013186629.tif 000010
【図９】
2013186629.tif 000011
【図１０】
2013186629.tif 000012
【図１１】
2013186629.tif 000013
【図１２】
2013186629.tif 000014